(57)【要約】【課題】抽斗を完全に引き出すためには、複雑で高価な機構が必要であった。【解決手段】抽斗の側面に抽斗の内容物を含めた重さを支持する抽斗補助具を設け、抽斗補助具に設けた前後のボスと抽斗のボス及びキャビネットに設けたボスで抽斗のキャビネットからの抽斗の引き出し寸法を制御するようにした、安価で容易に加工できる構造を構成する。【選択図】図１
2018126474.tif 000002
【特許請求の範囲】
【請求項１】
抽斗の側面に設け、抽斗の引き出し寸法を制御し、抽斗の内容物を含めた重量を支える機能を有する抽斗補助具。
【発明の詳細な説明】
【技術分野】
【０００１】
本発明は、キャビネット（抽斗を収納する筐体をキャビネットという。）から抽斗を引き出す際に、抽斗の内容を含めた重量を支持し、更に抽斗が脱落しないように、その動きを制限する機能を有する抽斗の補助具。
【背景技術】
【０００２】
抽斗1Ａはキャビネット2Ｂにもうけられた抽斗1Ａ用の空間に納められるが、抽斗1Ａ内に収納された品物を取り出すためにキャビネット2Ｂから抽斗を引き出した場合、抽斗1Ａの一部をキャビネット2Ｂの中に残さないと、抽斗1Ａがその重量で前下がりとなり、キャビネット2Ｂの抽斗を入れる口部に大きな力がかかり、最悪では口部が破損する恐れがある。（図7参照）
【０００３】
更に大きく抽斗1Ａを引き出すと抽斗1Ａが脱落するため、一般的なキャビネットでは抽斗1Ａの重量や引き出した長さに対応して、抽斗1Ａの一部をキャビネットの中に残すか、必要以上引き出せない様なストッパー等の工夫がなされている。
【０００４】
しかし、細かい物や小さな文具を入れる抽斗1Ａでは、引き出す事の出来ない隠れた抽斗1Ａの一部に小物が残り、特に抽斗1Ａの深さが浅い場合は、見えず、取り出せず不便である。
【０００５】
これまでの対策としては、強固な金属製の抽斗機構やローラーやベアリングを用いて抽斗を水平に引き出す機構が用いられるが、これらの構造では抽斗の加重をローラーやベアリングが受け持ち、抽斗の摺動もこれらローラーやベアリングによって行われるためその構造が複雑で高価になる。(（例えば文献特許出願平１１−１３９７６０及び非文献ヨーロピアンスライドレール参照）
【０００６】
このため、一般的なキャビネットでは不便さを我慢して、従来通りに抽斗の引き出し寸法を引き出す人が制限する事で内容物を支える物が殆どである。
【先行技術文献】
【特許文献】
【０００７】
【特許文献１】特許出願平１１−１３９７６０
【非特許文献】
【０００８】
【非特許文献１】ヨーロピアンスライドレール
【発明の概要】
【発明が解決しようとする課題】
【０００９】
解決しようとする問題点は、抽斗1Ａを製造すると同じ技術を使用し、安価な材料を用いて抽斗1Ａを奥行いっぱいまで引き出すようにできれば、不具合を解決することができる。
【課題を解決するための手段】
【００１０】
この改善策として抽斗1Ａの側面に抽斗補助具3Ｃをもうけ、抽斗1Ａの重量と引き出し寸法の制限を抽斗補助具3Ｃに受け持たせる。
【００１１】
本来抽斗1Ａは、内容物の重量を抽斗1Ａの両側の板で受けている構造で有るから、抽斗1Ａを製造する材料で抽斗補助具3Ｃを制作する事が出来る。
【００１２】
抽斗補助具3Ｃは抽斗1Ａを十分に引き出した際に抽斗1Ａの重量を受け、且つキャビネット2Ｂの抽斗収納口に無理な力が掛から無い様に、抽斗補助具3Ｃの長さの十分な寸法が抽斗箱内に残る様にし、抽斗1Ａが引き出しすぎて脱落しない為に抽斗1Ａの引き出し寸法を制限する。
【００１３】
抽斗補助具3Ｃは、抽斗1Ａの荷重を抽斗1Ａに設けられたボス11から受ける為に、また抽斗1Ａの引き出し寸法を制限する機能の為に、抽斗1Ａ側面から離れない様な制御が必要で、この制御はキャビネット2Ｂに設けられた溝23と24が行う。
【発明の効果】
【００１４】
本発明の抽斗補助具3Ｃは抽斗1Ａ本来の機能はそのままにして設ける事が出来る構造であるため、抽斗1Ａの引き出し、挿入の操作の際には殆ど抽斗1Ａの加重を受けて動く事がないから、作動のためにローラーやベアリングを必要とせず構造も簡単で有り、抽斗1Ａを構成する材料と同一材料を用いる事もでき、また加工もキャビネット2Ｂや抽斗1Ａを製造する行程の中で同一技術を用いる事が出来る事から、容易に製造でき、安価である利点がある。
【００１５】
ただ、本構造においても、重量物を収納する場合には、動きを軽快にするために摺動する部分にベアリングやローラーを用いる事も可能であるが、この場合は高価に成る。
【図面の簡単な説明】
【００１６】
【図１】は抽斗1Ａ及び抽斗補助具3Ｃを備えたキャビネット2Ｂの立体図で、三段目の抽斗を最大に引き出した状態のキャビネット2Bを示している。
【図２】は抽斗の正面図である。三段目の抽斗1Ａと正面板11が示されている。
【図３】は側面図であり三段目の抽斗1Ａをいっぱいに引き出した状態のキャビネット2Ｂと抽斗補助具3Ｃｒの側面を示している。
【図４】は第三図で示した三段目の抽斗をいっぱいに引き出した状態のＹ−Ｙ矢視の上面図でありキャビネット2Ｂと抽斗補助具3Ｃｒ、3Ｃｌと抽斗1Ａの上面からの相互関係を示している。
【図５】は第四図におけるＺ−Ｚ矢視における断面図であり、キャビネット2Ｂと抽斗補助具3Ｃｒ、3Ｃｌと抽斗1Ａの正面からの配置を示しており、それぞれの側面の位置関係が判る。
【図６】は抽斗補助具3Ｃｒ、3Ｃｌが無い場合の抽斗1Ａとキャビネット2Ｂの関係を示し、抽斗1Ａが引き出された場合の前下がりを示している。
【図７】は図3と同様な側面図であるが、図3は抽斗1Ａを最大に引き出しているが、この図では抽斗1Ａを収納した図であり、抽斗1Ａのボス11とキャビネット2Ｂのボス21の干渉と隙間ｔが示されている。
【発明を実施するための形態】
【００１７】
以下、本発明の実施の形態を図1〜図7に基づいて説明する。
【実施例】
【００１８】
図1において、1Ａは抽斗であり、2Ｂは抽斗1Ａを収納するキャビネットで有り、図4における3Ｃｒと3Ｃｌは抽斗補助具の右と左で有り、抽斗補助具3Ｃｒと3Ｃｌは抽斗1Ａの荷重を受けると同時に抽斗1Ａの引き出される寸法を制限する制限装置である。
【００１９】
図1は本発明機構の1実施例の立体斜面図であり、ここでは主として抽斗1Ａを正面から見て右側について説明するが、左側も対称で同じで有る。
【００２０】
キャビネット2Ｂの抽斗1Ａ収納口は、抽斗1Ａが滑らかに摺動する為に抽斗1Ａの寸法より大きく作ってある事から、抽斗1Ａは引き出されるに従って前下がりの状態になる。図6参照
【００２１】
前下がりの程度は構造により異なるが、図３における抽斗1Ａの位置が引き出し位置の最大であり、これ以上引き出すと抽斗1Ａは脱落するから、抽斗1Ａの位置を抽斗ボス11と抽斗補助具のボス31ｒ及びキャビネットボス21と抽斗補助具のボス32ｒによって制限し、更に抽斗ボス11で抽斗1Ａの荷重を抽斗補助具3Ｃｒに伝える。
【００２２】
抽斗1Ａの重量が抽斗補助具3Ｃｒ及びキャビネット2Ｂに作用する力は、図3によって説明すると、抽斗1Ａを図3の位置まで引き出した場合、抽斗1Ａの加重で発生する力は抽斗1Ａ後端の壁１６によって1ｐの面でうけ、抽斗1Ａの重量は抽斗ボス11で抽斗補助具3Ｃｒに伝えられる。
【００２３】
抽斗補助具3Ｃｒに伝えられた力は、キャビネット2Ｂの右側溝23の入口部3ｐで受け、その為に発生するモーメントは抽斗補助具3Ｃｒの後端にあるボス32ｒの上面4ｐでキャビネット2Ｂの対応する位置で受ける事になるが、左側面の抽斗補助具32ｌも同様である。
【００２４】
抽斗補助具3Ｃｒの後ろ側ボス32ｒの3Ｃｒの底面から上面までの高さ ｈ はキャビネット2Ｂに設けられた、抽斗補助具3Ｃｒが摺動する溝23と、抽斗1Ａが収納されるキャビネット2Ｂの上部の間で、抽斗補助具3Ｃｒが摺動に差し支えない程度の隙間がある様に作られている。
【００２５】
更に抽斗1Ａに設けられたボス11の、抽斗1Ａの底面からボス11の上面までの高さは、抽斗1Ａを完全に収納した際キャビネット2Bに設けられたボス21と干渉しない余裕ｔが必要である。（図3及び7参照）
【００２６】
叉、抽斗補助具3Ｃｒがキャビネット2Ｂから引き出される寸法は、キャビネット2Bのボス21と抽斗補助具3Ｃｒの後部ボス32ｒとが干渉する位置から、抽斗1Ａのボス11が抽斗補助具3Ｃｒの前部ボス31ｒが干渉する位置で設定され、抽斗補助具3Ｃｒの引き出される長さは抽斗補助具3Ｃｒの全長の約半分程度が適当と考えられ、抽斗の半分程度がキャビネット2Ｂ内に残るから前下がりの程度も抽斗1Ａに比べて少ない。
【００２７】
抽斗1Ａボス11から抽斗補助具3Ｃｒの受ける荷重は抽斗1Ａの引き出し寸法が長くなれば大きくなり、図3の最大の引き出し長さになって抽斗1Ａが制限された時に最大荷重となる。
【００２８】
抽斗補助具3Ｃｒはボス31ｒ・32ｒを前後に持つが、ボス31ｒは抽斗1Ａを取り外す際に抽斗1Ａのボス11を余分に持ち上げることの無い様にボス32ｒより低く作られているが、その高さは抽斗1Ａのボス11の動きが抽斗補助具3Cｒによって制御出来るだけの高さがあれば十分であり、抽斗補助具3Ｃｒのボス31ｒ・32ｒ間の凹み部分の深さと長さも抽斗1Ａのボス11が抽斗1Ａの制限寸法ないでの動きを阻害しない範囲であれば十分である。
【００２９】
溝23は抽斗補助具3Ｃｒのガイドで有り、抽斗補助具3Ｃｒが抽斗1Aの側板13から離れる事のないようにガイドしている。
【００３０】
抽斗1Ａが引き出される叉は挿入される過程での抽斗補助具3Ｃｒの位置は、抽斗1Ａのボス11叉は抽斗1Ａの正面板15が抽斗補助具3Ｃｒの31ｒに干渉しない限り抽斗1Ａの摺動摩擦以外では動かないから、抽斗補助具3Ｃｒの位置は任意である。
【００３１】
抽斗補助具3Crの材料は抽斗1Aの内容物を含めた荷重に耐える強度のある物であれば何でも良いし、抽斗1Ａを構成する材料であれば適当と考えられる。
【産業上の利用可能性】
【００３２】
従来の抽斗機能に更に抽斗補助具を付加する事により、抽斗を最大に引き出す寸法の制限と、加重の分担が出来、更に従来の引き出し機能を生かす事で抽斗補助具の摺動負荷を少なくし、抽斗補助具を製造する為の材料や技術もキャビネットや抽斗と同じ材料や技術で加工でき、容易で安価な利点がある。
【符号の説明】
【００３３】
1Ａは抽斗全体を示す。
11は抽斗1Aに設けられた右側ボス、12は同じく左側ボス、13は右側壁14は左側壁、15は前側板、16は後側板、17は底板を示す。
2Ｂはキャビネット全体を示す。
21はキャビネット2Bに設けられた右側ボスであり、22は左側ボスであり、23は右側の抽斗補助具3Ｃｒ用のガイド溝、24は左側の抽斗補助具3Ｃｌ用のガイド溝である。
3Ｃは抽斗補助具を示し添え字は抽斗1Ａを正面から見てｒは右、ｌは左側を示す。
31は抽斗補助具3Cに設けられた前側のボスであり32は後ろ側ボスであり、添え字ｒは右側、ｌは左側を示す。
1ｐは抽斗1Ａの後部隔壁16とキャビネット2Ｂの抽斗1Ａの収納部天井との接触支持面を示す。
2ｐは抽斗1Ａのボス11が抽斗補助具3Ｃｒに荷重をかける面を示す。
3ｐはキャビネットＢの右側溝前部と抽斗補助具3Crとの接触面をしめし、4ｐは抽斗補助具3Crの後ろ側ボス32ｒの上面とキャビネット2Bの抽斗1A収納部天井との接触面を示す。
ｈ は抽斗補助具3Crの後ろ側ボス32ｒの上面とキャビネット2Bの抽斗1A収納部天井との高さを表す
ｔ はキャビネット2Bに作られたボス２１の底面と抽斗1Ａの上面との隙間寸法を示す。
【図１】
2018126474.tif 000003
【図２】
2018126474.tif 000004
【図３】
2018126474.tif 000005
【図４】
2018126474.tif 000006
【図５】
2018126474.tif 000007
【図６】
2018126474.tif 000008
【図７】
2018126474.tif 000009
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
キャビネット（2B）および抽斗（1A）からなる抽斗キャビネット本体に用いる抽斗補助具であって、抽斗の両側面に、キャビネット内に作られた溝（23）、（24）に入った引出し方向に摺動可能な抽斗補助具（3cr/l）を設置し、上記抽斗補助具の上面をキャビネットに設けたボス（11）、（12）と抽斗に設けたボス（21），（22）が摺動し、これらのボスが抽斗補助具の上面の両端のボス（31r/l）と（32r/l）の内側に当り、抽斗補助具及び抽斗の動きが停止する事で抽斗の後端壁（16）まで引き出す制限と引き出しすぎによる転倒と脱落を防ぐ様にし、抽斗の後端壁（1p）と引き出しの重量が作るモーメントを、抽斗に設けたボスと抽斗補助具の接触点（2p）で保持し、抽斗補助具の受けるモーメントはキャビネットの挿入口の接触点（3p）と、抽斗補助具の後端ボスとそれの接するキャビネット天井部（4p）で受け、それぞれの重量及び発生するモーメントを４点で受ける様にしたことを特徴とする抽斗補助具。